(57)【要約】【課題】ディスプレイ面の回転機能を有し、ディスプレイ面の表示内容の切り替えについてのユーザの操作性を向上させ得るディスプレイ装置を提供する。【解決手段】ディスプレイ装置１は、画像を表示するためのディスプレイ面を有するディスプレイ部１０と、ディスプレイ面の一法線を回転軸とする、ユーザ操作に応じたディスプレイ面の回転により、ディスプレイ面が、第１状態と、その第１状態とは異なる回転角度の第２状態との間で変化自在となるように、ディスプレイ部１０を支えるスタンド部と、第１状態のディスプレイ面が第２状態へと遷移した場合に、複数の画像のうち、第２状態への遷移までにディスプレイ面の回転角度が変化した態様に応じてディスプレイ面に表示させる画像を選択し、選択した画像を第２状態におけるディスプレイ面に表示させるようにディスプレイ部１０を制御する制御部４０とを備える。【選択図】図４
2019153049.tif 000002
【特許請求の範囲】
【請求項１】
画像を表示するためのディスプレイ面を有するディスプレイ部と、
前記ディスプレイ面の一法線を回転軸とする、ユーザ操作に応じた前記ディスプレイ面の回転により、前記ディスプレイ面が、第１状態と、前記第１状態とは異なる回転角度の第２状態との間で変化自在となるように、前記ディスプレイ部を支えるスタンド部と、
前記第１状態の前記ディスプレイ面が前記第２状態へと遷移した場合に、複数の画像のうち、前記第２状態への遷移までに前記ディスプレイ面の回転角度が変化した態様に応じて前記ディスプレイ面に表示させる画像を選択し、選択した画像を前記第２状態における前記ディスプレイ面に表示させるように前記ディスプレイ部を制御する制御部とを備える
ディスプレイ装置。
【請求項２】
前記第１状態の前記ディスプレイ面が前記第２状態へと遷移した場合に前記制御部が選択する画像は、第１回転方向への回転により前記第１状態から前記第２状態に至ったときと、前記第１回転方向とは逆の第２回転方向への回転により前記第１状態から前記第２状態に至ったときとで、相違する
請求項１記載のディスプレイ装置。
【請求項３】
前記ディスプレイ面は長方形であり、
前記第１状態は、前記ディスプレイ面の長手方向が水平になった状態であり、
前記第２状態は、前記第１状態における前記ディスプレイ面の回転角度に対して９０度相違した回転角度である状態である
請求項１又は２記載のディスプレイ装置。
【請求項４】
前記制御部は、前記第１状態で所定画像を表示していた前記ディスプレイ面が前記第２状態へと遷移した場合に、前記所定画像とは異なる複数の画像のうちから前記ディスプレイ面に表示させる画像を選択し、選択した画像を前記第２状態における前記ディスプレイ面に表示させるように制御する
請求項３記載のディスプレイ装置。
【請求項５】
前記スタンド部は、前記ディスプレイ面が前記第１状態から、前記第１状態及び前記第２状態のいずれとも異なる回転角度の第３状態へも変化自在となるように、前記ディスプレイ部を支え、
前記ディスプレイ装置は、回転角度に応じた前記第１状態、前記第２状態及び前記第３状態のそれぞれを識別して検知可能なセンサを備え、
前記第２状態は、前記第１状態における前記ディスプレイ面の回転角度より９０度増加した回転角度である状態であり、
前記第３状態は、前記第１状態における前記ディスプレイ面の回転角度より９０度減少した回転角度である状態であり、
前記制御部は、前記センサの検知結果に基づいて前記ディスプレイ面に表示させる画像を選択し、前記ディスプレイ面が前記第１状態から前記第３状態へ遷移した場合には、前記第２状態へ遷移した場合に前記ディスプレイ面に表示させる画像とは異なる画像を前記第３状態における前記ディスプレイ面に表示させるように制御する
請求項１記載のディスプレイ装置。
【請求項６】
前記ディスプレイ面が前記第２状態へと遷移した場合に前記制御部が選択する画像は、前記第２状態以外から前記第２状態へ１回遷移させる態様で前記第２状態へと遷移したときと、前記第２状態以外から前記第２状態へ２回繰り返して遷移させる態様で前記第２状態へと遷移したときとで、相違する
請求項１〜５のいずれか一項に記載のディスプレイ装置。
【請求項７】
前記制御部は、前記ディスプレイ面の回転角度が変化した前記態様を、前記第２状態以外から前記第２状態へ遷移させることを繰り返す回数に応じて区別し、前記回数に応じて選択した画像を前記第２状態における前記ディスプレイ面に表示させるように制御する
請求項１〜５のいずれか一項に記載のディスプレイ装置。
【請求項８】
前記制御部は、前記回数が、所定回数であるとき、及び、前記所定回数＋所定値であるときには、第１画像を選択し、前記回数が、前記所定回数＋１であるとき、及び、前記所定回数＋前記所定値＋１であるときには、前記第１画像と異なる第２画像を選択する
請求項７記載のディスプレイ装置。
【請求項９】
前記第１画像は、前記ディスプレイ面の全体領域に配置される１つの画像で構成され、
前記第２画像は、前記ディスプレイ面の全体領域を複数に分割した領域毎にそれぞれ配置される複数の画像で構成される
請求項８記載のディスプレイ装置。
【請求項１０】
前記ディスプレイ面が前記第２状態へと遷移した場合に、前記制御部は、前記ディスプレイ面の全体領域に配置される１つの画像で構成される第１種画像と、前記ディスプレイ面の全体領域を複数に分割した領域毎にそれぞれ配置される複数の画像で構成される第２種画像とのうち、前記第２状態における前記ディスプレイ面に表示させる画像を選択する
請求項１〜７のいずれか一項に記載のディスプレイ装置。
【請求項１１】
前記ディスプレイ装置は更に、
イメージセンサと、
登録している複数のユーザそれぞれに対応して画像選択用情報を記録した記録媒体とを備え、
前記制御部は更に、前記ディスプレイ面が前記第２状態へと遷移した場合において、前記イメージセンサで撮像した画像に基づくユーザ認証を行い、
前記制御部は、前記ユーザ認証に成功したユーザに対応する画像選択用情報に基づいて、前記第２状態における前記ディスプレイ面に表示させる画像の選択を行う
請求項１〜７のいずれか一項に記載のディスプレイ装置。
【請求項１２】
前記制御部は更に、前記ディスプレイ面が前記第２状態である場合において、前記ディスプレイ部に接触する所定操作がなされたときには、前記ディスプレイ面に表示させている画像とは異なる画像を前記ディスプレイ面に表示させるように制御する
請求項１〜１１のいずれか一項に記載のディスプレイ装置。
【請求項１３】
前記ディスプレイ装置は更に、タッチパッドを有する情報端末へのユーザ操作を示す操作情報を当該情報端末から受信する受信部を備え、
前記情報端末は、ユーザに所定の第１操作がなされている間において、タッチ操作に応じた第１操作情報を前記ディスプレイ装置に送信し、前記第１操作がなされていない間において、タッチ操作に応じた第２操作情報を前記ディスプレイ装置に送信し、
前記制御部は更に、前記受信部が前記操作情報を受信した場合に、当該操作情報が前記第１操作情報であるときと前記第２操作情報であるときとでは、前記ディスプレイ面に表示させている画像に対して、互いに異なる変化を施すように前記ディスプレイ部を制御する
請求項１〜１２のいずれか一項に記載のディスプレイ装置。
【請求項１４】
前記情報端末は、前記タッチパッドが前記情報端末の画像表示面上に重畳されて構成されたタッチパネルを備え、
前記第１操作は、前記タッチパネルに表示されたＧＵＩ（Graphical User Interface）としてのボタンの押下操作であり、
前記第１操作情報は、前記タッチ操作に応じて位置を指定する情報を含み、
前記制御部は、前記受信部が前記第１操作情報を受信した場合には、当該第１操作情報により指定される位置に基づいて前記ディスプレイ面に表示するカーソルの位置を定めて、前記ディスプレイ面に表示させている画像に重畳して、定めた当該位置に当該カーソルを表示するように前記ディスプレイ部を制御し、前記受信部が前記第２操作情報を受信した場合には、前記ディスプレイ面に表示させている画像をスクロールして表示するように前記ディスプレイ部を制御する
請求項１３記載のディスプレイ装置。
【請求項１５】
画像を表示するためのディスプレイ面を有するディスプレイ部と、前記ディスプレイ面の一法線を回転軸とする、ユーザ操作に応じた前記ディスプレイ面の回転により、前記ディスプレイ面が、第１状態と、前記第１状態とは異なる回転角度の第２状態との間で変化自在となるように、前記ディスプレイ部を支えるスタンド部とを備えるディスプレイ装置における表示を制御するための表示制御方法であって、
前記第１状態の前記ディスプレイ面が前記第２状態へと遷移した場合に、複数の画像のうち、前記第２状態への遷移までに前記ディスプレイ面の回転角度が変化した態様に応じて前記ディスプレイ面に表示させる画像を選択する選択ステップと、
前記選択ステップで選択した画像を前記第２状態における前記ディスプレイ面に表示させるように前記ディスプレイ部を制御する制御ステップとを含む
表示制御方法。
【請求項１６】
画像を表示するためのディスプレイ面を有するディスプレイ部と、前記ディスプレイ面の一法線を回転軸とする、ユーザ操作に応じた前記ディスプレイ面の回転により、前記ディスプレイ面が、第１状態と、前記第１状態とは異なる回転角度の第２状態との間で変化自在となるように、前記ディスプレイ部を支えるスタンド部とを備えるディスプレイ装置における表示を制御するための表示制御処理を、前記ディスプレイ装置の有するマイクロプロセッサに実行させるための制御プログラムであって、
前記表示制御処理は、
前記第１状態の前記ディスプレイ面が前記第２状態へと遷移した場合に、複数の画像のうち、前記第２状態への遷移までに前記ディスプレイ面の回転角度が変化した態様に応じて前記ディスプレイ面に表示させる画像を選択する選択ステップと、
前記選択ステップで選択した画像を前記第２状態における前記ディスプレイ面に表示させるように前記ディスプレイ部を制御する制御ステップとを含む
制御プログラム。
【発明の詳細な説明】
【技術分野】
【０００１】
本開示は、ディスプレイ装置における表示制御の技術に関する。
【背景技術】
【０００２】
従来、画面（つまりディスプレイ面）の回転機能を有するディスプレイ装置が知られている。特許文献１は、略長方形のディスプレイ面を有する表示部を回転可能に保持するスタンド部を備えるディスプレイ装置で、縦長画面状態にあるディスプレイ面の画面中心と、横長画面状態にあるディスプレイ面の画面中心とが異なるように、表示部の回転中心を設定する技術を開示する。
【先行技術文献】
【特許文献】
【０００３】
【特許文献１】特開平１０−２４０１４０号公報
【発明の概要】
【発明が解決しようとする課題】
【０００４】
本開示は、ディスプレイ面の回転機能を有し、ディスプレイ面の表示内容（つまりディスプレイ面に表示される画像）の切り替えについてのユーザの操作性を向上させ得るディスプレイ装置を提供する。また本開示は、そのディスプレイ装置で用いられる表示制御方法、及び、表示制御用の制御プログラムを提供する。
【課題を解決するための手段】
【０００５】
本開示におけるディスプレイ装置は、画像を表示するためのディスプレイ面を有するディスプレイ部と、前記ディスプレイ面の一法線を回転軸とする、ユーザ操作に応じた前記ディスプレイ面の回転により、前記ディスプレイ面が、第１状態と、前記第１状態とは異なる回転角度の第２状態との間で変化自在となるように、前記ディスプレイ部を支えるスタンド部と、前記第１状態の前記ディスプレイ面が前記第２状態へと遷移した場合に、複数の画像のうち、前記第２状態への遷移までに前記ディスプレイ面の回転角度が変化した態様に応じて前記ディスプレイ面に表示させる画像を選択し、選択した画像を前記第２状態における前記ディスプレイ面に表示させるように前記ディスプレイ部を制御する制御部とを備える。
【０００６】
また、本開示における表示制御方法は、画像を表示するためのディスプレイ面を有するディスプレイ部と、前記ディスプレイ面の一法線を回転軸とする、ユーザ操作に応じた前記ディスプレイ面の回転により、前記ディスプレイ面が、第１状態と、前記第１状態とは異なる回転角度の第２状態との間で変化自在となるように、前記ディスプレイ部を支えるスタンド部とを備えるディスプレイ装置における表示を制御するための表示制御方法であって、前記第１状態の前記ディスプレイ面が前記第２状態へと遷移した場合に、複数の画像のうち、前記第２状態への遷移までに前記ディスプレイ面の回転角度が変化した態様に応じて前記ディスプレイ面に表示させる画像を選択する選択ステップと、前記選択ステップで選択した画像を前記第２状態における前記ディスプレイ面に表示させるように前記ディスプレイ部を制御する制御ステップとを含む。
【０００７】
また、本開示における制御プログラムは、画像を表示するためのディスプレイ面を有するディスプレイ部と、前記ディスプレイ面の一法線を回転軸とする、ユーザ操作に応じた前記ディスプレイ面の回転により、前記ディスプレイ面が、第１状態と、前記第１状態とは異なる回転角度の第２状態との間で変化自在となるように、前記ディスプレイ部を支えるスタンド部とを備えるディスプレイ装置における表示を制御するための表示制御処理を、前記ディスプレイ装置の有するマイクロプロセッサに実行させるための制御プログラムであって、前記表示制御処理は、前記第１状態の前記ディスプレイ面が前記第２状態へと遷移した場合に、複数の画像のうち、前記第２状態への遷移までに前記ディスプレイ面の回転角度が変化した態様に応じて前記ディスプレイ面に表示させる画像を選択する選択ステップと、前記選択ステップで選択した画像を前記第２状態における前記ディスプレイ面に表示させるように前記ディスプレイ部を制御する制御ステップとを含む。
【発明の効果】
【０００８】
本開示におけるディスプレイ装置、表示制御方法又は制御プログラムによれば、ディスプレイ面の表示内容の切り替えについてのユーザの操作性が向上し得る。
【図面の簡単な説明】
【０００９】
【図１】実施の形態１におけるディスプレイ面が横画面状態であるディスプレイ装置の一例を示す斜視図である。
【図２】ディスプレイ面が縦画面状態であるディスプレイ装置の一例を示す斜視図である。
【図３】ディスプレイ面が横画面状態であるディスプレイ装置の背面側の一例を示す斜視図である。
【図４】ディスプレイ装置の表示制御に係る機能構成を示すブロック図である。
【図５Ａ】ディスプレイ装置の記録媒体に保持されている画像選択用情報の一例を示す図である。
【図５Ｂ】ディスプレイ装置の記録媒体に保持されている画像選択用情報の一例を示す図である。
【図５Ｃ】ディスプレイ装置の記録媒体に保持されている画像選択用情報の一例を示す図である。
【図５Ｄ】ディスプレイ装置の記録媒体に保持されているユーザ毎の画像選択用情報の一例を示す図である。
【図６Ａ】ディスプレイ装置の表示制御処理の一例（例１）を示すフローチャートである。
【図６Ｂ】ディスプレイ装置の表示制御処理の一例（例２）を示すフローチャートである。
【図６Ｃ】ディスプレイ装置の表示制御処理の一例（例３）を示すフローチャートである。
【図６Ｄ】ディスプレイ装置の表示制御処理の一例（例４）を示すフローチャートである。
【図６Ｅ】ディスプレイ装置の表示制御処理の一例（例５）を示すフローチャートである。
【図７】ディスプレイ装置の表示制御処理の一例（例３）に対応する画面遷移例を示す図である。
【図８】ディスプレイ装置の表示制御処理の一例（例５）に対応する画面遷移例を示す図である。
【図９】実施の形態２におけるディスプレイ装置を操作する情報端末の画面例を示す図である。
【図１０】情報端末の操作情報送信処理の一例を示すフローチャートである。
【図１１】実施の形態２におけるディスプレイ装置の制御処理の一例を示すフローチャートである。
【図１２】実施の形態２におけるディスプレイ装置のディスプレイ面の表示内容の一例を示す図である。
【発明を実施するための形態】
【００１０】
ディスプレイ面の表示内容の切り替えについてのユーザの操作性を向上させるべく、本開示におけるディスプレイ装置は、画像を表示するためのディスプレイ面を有するディスプレイ部と、前記ディスプレイ面の一法線を回転軸とする、ユーザ操作に応じた前記ディスプレイ面の回転により、前記ディスプレイ面が、第１状態と、前記第１状態とは異なる回転角度の第２状態との間で変化自在となるように、前記ディスプレイ部を支えるスタンド部と、前記第１状態の前記ディスプレイ面が前記第２状態へと遷移した場合に、複数の画像のうち、前記第２状態への遷移までに前記ディスプレイ面の回転角度が変化した態様に応じて前記ディスプレイ面に表示させる画像を選択し、選択した画像を前記第２状態における前記ディスプレイ面に表示させるように前記ディスプレイ部を制御する制御部とを備える。
【００１１】
これにより、ユーザは、ディスプレイ装置に対して、ディスプレイ面の回転角度の変化の態様が相互に異なる回転操作を行って第１状態（例えば横画面状態）から第２状態（例えば縦画面状態）に遷移させることによって、第２状態でのディスプレイ面の表示内容を容易に切り替えることができるようになる。従って、このディスプレイ装置によって表示内容の切り替えに係るユーザの操作性が向上する。
【００１２】
ここで、例えば、前記第１状態の前記ディスプレイ面が前記第２状態へと遷移した場合に前記制御部が選択する画像は、第１回転方向への回転により前記第１状態から前記第２状態に至ったときと、前記第１回転方向とは逆の第２回転方向への回転により前記第１状態から前記第２状態に至ったときとで、相違することとしてもよい。
【００１３】
これにより、ユーザは、左回りか右回りかという回転方向を変化させる容易な操作で、第２状態のディスプレイ面の表示内容を切り替えることができるようになる。
【００１４】
また、例えば、前記ディスプレイ面は長方形であり、前記第１状態は、前記ディスプレイ面の長手方向が水平になった状態であり、前記第２状態は、前記第１状態における前記ディスプレイ面の回転角度に対して９０度相違した回転角度である状態であることとしてもよい。
【００１５】
これにより、ユーザは、縦画面状態にしたディスプレイ面の表示内容を、回転操作の態様によって容易に切り替えることができるようになる。
【００１６】
また、例えば、前記制御部は、前記第１状態で所定画像を表示していた前記ディスプレイ面が前記第２状態へと遷移した場合に、前記所定画像とは異なる複数の画像のうちから前記ディスプレイ面に表示させる画像を選択し、選択した画像を前記第２状態における前記ディスプレイ面に表示させるように制御することとしてもよい。
【００１７】
これにより、ユーザは、横画面状態にしたディスプレイ面の表示内容を縦画面状態にして別の表示内容にすることができ、その別の表示内容を、回転操作の態様によって選ぶことができるようになる。
【００１８】
また、例えば、前記スタンド部は、前記ディスプレイ面が前記第１状態から、前記第１状態及び前記第２状態のいずれとも異なる回転角度の第３状態へも変化自在となるように、前記ディスプレイ部を支え、前記ディスプレイ装置は、回転角度に応じた前記第１状態、前記第２状態及び前記第３状態のそれぞれを識別して検知可能なセンサを備え、前記第２状態は、前記第１状態における前記ディスプレイ面の回転角度より９０度増加した回転角度である状態であり、前記第３状態は、前記第１状態における前記ディスプレイ面の回転角度より９０度減少した回転角度である状態であり、前記制御部は、前記センサの検知結果に基づいて前記ディスプレイ面に表示させる画像を選択し、前記ディスプレイ面が前記第１状態から前記第３状態へ遷移した場合には、前記第２状態へ遷移した場合に前記ディスプレイ面に表示させる画像とは異なる画像を前記第３状態における前記ディスプレイ面に表示させるように制御することとしてもよい。
【００１９】
これにより、ユーザは、例えば縦画面状態等のディスプレイ面を上下逆転させれば相互に異なる表示内容にすることができるようになり、容易な操作による表示内容の切り替えが可能となる。
【００２０】
また、例えば、前記ディスプレイ面が前記第２状態へと遷移した場合に前記制御部が選択する画像は、前記第２状態以外から前記第２状態へ１回遷移させる態様で前記第２状態へと遷移したときと、前記第２状態以外から前記第２状態へ２回繰り返して遷移させる態様で前記第２状態へと遷移したときとで、相違することとしてもよい。
【００２１】
これにより、ユーザは、第２状態以外から第２状態へ遷移させる操作を１回行うか２回行うかで、第２状態のディスプレイ面の表示内容を切り替えることができるようになる。
【００２２】
また、例えば、前記制御部は、前記ディスプレイ面の回転角度が変化した前記態様を、前記第２状態以外から前記第２状態へ遷移させることを繰り返す回数に応じて区別し、前記回数に応じて選択した画像を前記第２状態における前記ディスプレイ面に表示させるように制御することとしてもよい。
【００２３】
これにより、ユーザは、第２状態以外から第２状態へ遷移させる操作を行う回数に応じて、第２状態のディスプレイ面の表示内容を切り替えることができるようになる。
【００２４】
また、例えば、前記制御部は、前記回数が、所定回数であるとき、及び、前記所定回数＋所定値であるときには、第１画像を選択し、前記回数が、前記所定回数＋１であるとき、及び、前記所定回数＋前記所定値＋１であるときには、前記第１画像と異なる第２画像を選択することとしてもよい。
【００２５】
これにより、ユーザは、第２状態へ遷移させる操作を行う回数に応じて、第２状態のディスプレイ面の表示内容を一定の繰り返し順で切り替え得る。
【００２６】
また、例えば、前記第１画像は、前記ディスプレイ面の全体領域に配置される１つの画像で構成され、前記第２画像は、前記ディスプレイ面の全体領域を複数に分割した領域毎にそれぞれ配置される複数の画像で構成されることとしてもよい。
【００２７】
これにより、ユーザは、第２状態へ遷移させる操作を行う回数に応じて、第２状態のディスプレイ面の画面分割数（例えば表示される画像の数）を切り替え得る。
【００２８】
また、例えば、前記ディスプレイ面が前記第２状態へと遷移した場合に、前記制御部は、前記ディスプレイ面の全体領域に配置される１つの画像で構成される第１種画像と、前記ディスプレイ面の全体領域を複数に分割した領域毎にそれぞれ配置される複数の画像で構成される第２種画像とのうち、前記第２状態における前記ディスプレイ面に表示させる画像を選択することとしてもよい。
【００２９】
これにより、ユーザは、ディスプレイ面の回転角度の変化の態様が相互に異なる回転操作を行うことで、ディスプレイ面を複数に分割して各分割領域に画像を表示するか、全体領域に１つの画像を表示するかを切り替え得る。
【００３０】
また、例えば、前記ディスプレイ装置は更に、イメージセンサと、登録している複数のユーザそれぞれに対応して画像選択用情報を記録した記録媒体とを備え、前記制御部は更に、前記ディスプレイ面が前記第２状態へと遷移した場合において、前記イメージセンサで撮像した画像に基づくユーザ認証を行い、前記制御部は、前記ユーザ認証に成功したユーザに対応する画像選択用情報に基づいて、前記第２状態における前記ディスプレイ面に表示させる画像の選択を行うこととしてもよい。
【００３１】
これにより、ディスプレイ装置を利用する各ユーザに対してそのユーザに適した画像が表示されるようになり得る。
【００３２】
また、例えば、前記制御部は更に、前記ディスプレイ面が前記第２状態である場合において、前記ディスプレイ部に接触する所定操作がなされたときには、前記ディスプレイ面に表示させている画像とは異なる画像を前記ディスプレイ面に表示させるように制御することとしてもよい。
【００３３】
これにより、ユーザは、ディスプレイ部に接触する所定操作を行うことで容易にディスプレイ面の表示内容を切り替えることができるようになる。
【００３４】
また、例えば、前記ディスプレイ装置は更に、タッチパッドを有する情報端末へのユーザ操作を示す操作情報を当該情報端末から受信する受信部を備え、前記情報端末は、ユーザに所定の第１操作がなされている間において、タッチ操作に応じた第１操作情報を前記ディスプレイ装置に送信し、前記第１操作がなされていない間において、タッチ操作に応じた第２操作情報を前記ディスプレイ装置に送信し、前記制御部は更に、前記受信部が前記操作情報を受信した場合に、当該操作情報が前記第１操作情報であるときと前記第２操作情報であるときとでは、前記ディスプレイ面に表示させている画像に対して、互いに異なる変化を施すように前記ディスプレイ部を制御することとしてもよい。
【００３５】
これにより、ユーザは、情報端末に対する操作を切り替えることにより、ディスプレイ面の表示内容を相互に異なるように変化させることができるようになる。
【００３６】
また、例えば、前記情報端末は、前記タッチパッドが前記情報端末の画像表示面上に重畳されて構成されたタッチパネルを備え、前記第１操作は、前記タッチパネルに表示されたＧＵＩ（Graphical User Interface）としてのボタンの押下操作であり、前記第１操作情報は、前記タッチ操作に応じて位置を指定する情報を含み、前記制御部は、前記受信部が前記第１操作情報を受信した場合には、当該第１操作情報により指定される位置に基づいて前記ディスプレイ面に表示するカーソルの位置を定めて、前記ディスプレイ面に表示させている画像に重畳して、定めた当該位置に当該カーソルを表示するように前記ディスプレイ部を制御し、前記受信部が前記第２操作情報を受信した場合には、前記ディスプレイ面に表示させている画像をスクロールして表示するように前記ディスプレイ部を制御することとしてもよい。
【００３７】
これにより、ユーザは、情報端末の特定のボタンを押下することと押下しないこととを区別した操作により、ディスプレイ面に表示された画像上のカーソルの移動とディスプレイ面に表示された画像のスクロールとを切り替えて指示することができるようになる。
【００３８】
また、本開示に係る表示制御方法は、画像を表示するためのディスプレイ面を有するディスプレイ部と、前記ディスプレイ面の一法線を回転軸とする、ユーザ操作に応じた前記ディスプレイ面の回転により、前記ディスプレイ面が、第１状態と、前記第１状態とは異なる回転角度の第２状態との間で変化自在となるように、前記ディスプレイ部を支えるスタンド部とを備えるディスプレイ装置における表示を制御するための表示制御方法であって、前記第１状態の前記ディスプレイ面が前記第２状態へと遷移した場合に、複数の画像のうち、前記第２状態への遷移までに前記ディスプレイ面の回転角度が変化した態様に応じて前記ディスプレイ面に表示させる画像を選択する選択ステップと、前記選択ステップで選択した画像を前記第２状態における前記ディスプレイ面に表示させるように前記ディスプレイ部を制御する制御ステップとを含む。
【００３９】
これにより、ユーザがディスプレイ装置に対して、ディスプレイ面の回転角度の変化の態様が相互に異なる回転操作を行って第１状態（例えば横画面状態）から第２状態（例えば縦画面状態）に遷移させた場合に、第２状態でのディスプレイ面の表示内容を相互に切り替えることができる。従って、この表示制御方法によれば、ディスプレイ装置における表示内容の切り替えに係るユーザの操作性が向上する。
【００４０】
また、本開示に係る制御プログラムは、画像を表示するためのディスプレイ面を有するディスプレイ部と、前記ディスプレイ面の一法線を回転軸とする、ユーザ操作に応じた前記ディスプレイ面の回転により、前記ディスプレイ面が、第１状態と、前記第１状態とは異なる回転角度の第２状態との間で変化自在となるように、前記ディスプレイ部を支えるスタンド部とを備えるディスプレイ装置における表示を制御するための表示制御処理を、前記ディスプレイ装置の有するマイクロプロセッサに実行させるための制御プログラムであって、前記表示制御処理は、前記第１状態の前記ディスプレイ面が前記第２状態へと遷移した場合に、複数の画像のうち、前記第２状態への遷移までに前記ディスプレイ面の回転角度が変化した態様に応じて前記ディスプレイ面に表示させる画像を選択する選択ステップと、前記選択ステップで選択した画像を前記第２状態における前記ディスプレイ面に表示させるように前記ディスプレイ部を制御する制御ステップとを含む。
【００４１】
この制御プログラムを、マイクロプロセッサを備えるディスプレイ装置にインストールすれば、そのディスプレイ装置は、ユーザがディスプレイ面の回転角度の変化の態様が相互に異なる回転操作を行って第１状態（例えば横画面状態）から第２状態（例えば縦画面状態）に遷移させた場合に、第２状態でのディスプレイ面の表示内容を相互に切り替えることができる。従って、この制御プログラムにより、ディスプレイ装置における表示内容の切り替えに係るユーザの操作性が向上する。
【００４２】
なお、これらの包括的又は具体的な各種態様には、装置、システム、方法、集積回路、コンピュータプログラム、コンピュータで読み取り可能な記録媒体等の１つ又は複数の組合せが含まれる。
【００４３】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００４４】
なお、発明者は、当業者が本開示を十分に理解するために図面及び以下の説明を提供するのであって、これらによって特許請求の範囲に記載の主題を限定することを意図するものではない。即ち、以下の具体例を用いた説明で示される数値、形状、構成要素、構成要素の配置及び接続形態、並びに、工程或いは処理のステップ及びステップの順序等は、一例であって、特許請求の範囲に記載の主題を限定するものではない。以下の実施の形態における構成要素のうち、独立請求項に記載されていない構成要素については、任意に付加可能な構成要素である。また、各図は、模式図であり、必ずしも厳密に図示されたものではない。
【００４５】
（実施の形態１）
本実施の形態では、ディスプレイ面の回転機能を有し、ユーザによる操作に対応してディスプレイ面の表示内容である画像を切り替えるディスプレイ装置の一例としてのディスプレイ装置１について、図面を用いて説明する。
【００４６】
［１−１．ディスプレイ装置の構成］
図１〜図３は、ディスプレイ装置１の構成を示す斜視図である。図１は、ディスプレイ面１１が横画面状態のディスプレイ装置１を示しており、図２は、ディスプレイ面１１が縦画面状態のディスプレイ装置１を示している。また、図３は、ディスプレイ装置１を背面側（つまりディスプレイ面１１の裏面側）から見た様子を示している。
【００４７】
ディスプレイ装置１は、ディスプレイ部１０とスタンド部２０とを含んで構成される。ディスプレイ装置１は、例えば可搬性を有する据え置き型の画像表示装置であり、画面サイズは例えば４３インチ等である。ディスプレイ装置１は、例えば、液晶ディスプレイ装置であってもよいし、有機ＥＬ（Electro-Luminescence）ディスプレイ装置であってもよい。ディスプレイ装置１は、ここで特に説明しない点については、ディスプレイ面の回転機能を有する既存のディスプレイ装置と同様である。
【００４８】
ディスプレイ部１０は、ディスプレイ面１１と、ディスプレイ面１１の周囲を囲うフレーム１２とを含んで構成される。
【００４９】
スタンド部２０は、ディスプレイ装置１を設置する面に置かれる基台２１と、基台２１に載ってディスプレイ部１０を回転自在に背面から軸支するための回転機構を有する回転機構部２２とを備える。
【００５０】
基台２１の形状は図３に示したものに限られず、いかなる形状であってもよく、例えば複数の脚を有する形状等であってもよい。回転機構部２２を備えるスタンド部２０は、ディスプレイ部１０を回転させるようにユーザが力を加えて操作した場合に、その操作に応じてディスプレイ面１１が、横画面状態と、その横画面状態とは異なる回転角度の縦画面状態との間で変化自在となるように、ディスプレイ部１０を支える。
【００５１】
回転機構部２２は、ディスプレイ面１１の一法線（例えばディスプレイ面１１の中央或いはその周辺の点を通る法線）を回転軸として、ディスプレイ部１０を回転自在に軸支する構成を有する。なお、ディスプレイ面１１は、平面であってもよいし、曲面であってもよい。回転軸は水平であってもよいし、或いは、回転軸が水平面から数度傾斜し、ディスプレイ面１１が少し上方を向くようになっていてもよい。回転機構部２２は、ユーザ操作（つまりユーザによる操作）に応じてディスプレイ面１１を回転させ横画面状態或いは縦画面状態に変化させ得るように構成していればよく、例えば回転可能な角度の範囲が３６０度より小さくてもよく、例えばその回転可能な角度範囲が９０度であっても１８０度であってもよい。また、ディスプレイ面１１が縦画面状態と横画面状態とに変化するために回転機構部２２がディスプレイ部１０を、双方向に回転するように即ち回動自在に支えてもよいし、一方向にしか回転できないように支えてもよい。スタンド部２０は、ディスプレイ面１１が回転しても変動しない位置に、音声を出力するためのスピーカを備えていてもよい。ここでは、スタンド部２０の回転機構部２２が、ディスプレイ面１１をユーザが直接的に回転させる操作を行えるように構成されている例を挙げたが、ユーザの入力操作に応じてモータ駆動等によってディスプレイ面１１を回転させるものであってもよい。
【００５２】
ディスプレイ面１１は、概ね長方形である。画面の横縦比は、いかなるものであってもよいが、例えば１６：９等である。横画面状態は、横長の画面の状態であり、即ち、長方形のディスプレイ面１１の長手方向が水平（つまり鉛直方向に対して垂直な方向）となった状態である。なお、略水平（例えば真の水平からの誤差プラスマイナス１０度程度までの範囲）を水平として扱うこととしてもよい。縦画面状態は、縦長の画面の状態であり、即ち、横画面状態のディスプレイ面１１の回転角度に対して９０度相違した回転角度の状態である。例えば、横画面状態のディスプレイ面の回転角度を０度とすると、回転角度がプラス９０度或いはマイナス９０度である状態である。なお、回転角度においてマイナス９０度は、例えばプラス２７０度と同一である。なお、横画面状態の回転角度が０度であるとした場合において、回転角度がプラス９０度にはなるがマイナス９０度にはならないように回転機構部２２が構成されていてもよく、この場合には回転角度がプラス９０度であるときが縦画面状態となる。
【００５３】
ディスプレイ装置１は、ディスプレイ面１１の回転等に応じてディスプレイ面１１の表示内容である画像を切り替える表示制御機能を有する。図３は、表示制御機能に関わる構成としての受信部３０、制御部４０、記録媒体５０、回転検知用のセンサ６０等が、例えばディスプレイ部１０の筐体内部に設けられているとした一例を示している。
【００５４】
図４は、ディスプレイ装置１の表示制御に係る機能構成を示すブロック図である。
【００５５】
ディスプレイ装置１は、表示制御機能に関わる構成として、図４に示すように受信部３０、制御部４０、記録媒体５０、回転検知用のセンサ６０、イメージセンサ７０を含んで構成される。なお、受信部３０、制御部４０、記録媒体５０、回転検知用のセンサ６０及びイメージセンサ７０は、ディスプレイ部１０に配置されてもよいが、ディスプレイ装置１においてディスプレイ部１０の外部（例えばスタンド部２０の内部でも外部でもよい）に配置されてもよい。
【００５６】
受信部３０は、通信インタフェース（つまり通信回路）で実現される。受信部３０は、例えば、各種テレビ（television）放送を受信するチューナ、インターネット等のウェブサイトにアクセスするためのネットワークインタフェース等を備える。ユーザは、例えば受信部３０のチューナに対して受信チャネルの選択操作を行い得る。また、ユーザは、例えば、ネットワーク上から取得すべきウェブページの情報を指定するＵＲＬ（Uniform Resource Locator）等の情報（例えばウェブサイトのネットワークアドレス等）を指定する操作を行い得る。受信部３０、ディスプレイ装置１の外部の装置と通信して、ディスプレイ面１１の表示内容となる画像を受信する機能を有する。また、受信部３０は、受信した画像を記録媒体５０に格納する機能と制御部４０に通知する機能とを有する。ディスプレイ装置１においてディスプレイ面１１へ表示される画像は、いかなる画像であってもよく、例えば、テレビ放送の映像コンテンツ、或いは、外部のサーバ等の装置等から取得したウェブページ、写真、メール、取得したスクリプトの解釈及び実行により生成した画像、或いは、イメージセンサ７０で撮像された画像等である。ディスプレイ面１１へ表示される画像は、静止画であっても動画であってもよく、また、その画像の内容は、写真、文字、図形等、いかなる視覚的情報であってもよい。
【００５７】
制御部４０は、機能面において表示制御部４１及び画像選択部４２を有する。
【００５８】
画像選択部４２は、ディスプレイ面１１が回転により例えば横画面状態或いは縦画面状態になった場合に、受信部３０に受信された画像或いは記録媒体５０内の画像等といった複数の画像のうち、ディスプレイ面１１の回転角度が変化した態様に応じてディスプレイ面１１に表示させる画像を選択する機能を有する。
【００５９】
表示制御部４１は、画像選択部４２により選択された画像をディスプレイ面１１に表示させるようにディスプレイ部１０の表示回路等を制御する機能を有する。なお、ディスプレイ部１０は、制御部４０の制御に応じてディスプレイ面１１に画像を表示するための表示回路を備える。制御部４０は、例えば、メモリ、プロセッサ（マイクロプロセッサ）等を含むコンピュータといった電子回路で構成される。例えば、制御部４０は、メモリに格納された表示制御処理用の制御プログラムがプロセッサで実行されることにより表示制御機能を実現し得る。制御プログラムは、例えばアプリ（application program）であっても、ＯＳ（Operating System）の一部であってもよい。
【００６０】
制御部４０の制御下でディスプレイ面１１に表示される１つの画像は、例えば、複数の画像を内包する画像であってもよい。一例としてはディスプレイ面１１全体のサイズの一画像が、ディスプレイ面１１の表示可能領域の全体を複数の領域に任意のレイアウトで分割してその分割された各領域である分割領域毎に異なる画像を配置してなる画像の集合を含んでもよい。制御部４０の表示制御によれば、例えば、ユーザ操作によりディスプレイ面１１が縦画面状態へと遷移した場合において、その縦画面状態に遷移するまでの角度変化の態様の違い（例えば、回転方向の違い等）によって、その縦画面状態のディスプレイ面１１に表示される画像は相互に異なり得る。相互に異なる画像同士は、画像の出所が同じであってもよい。ディスプレイ面１１に表示された各画像の内容が相違すれば、各画像は相互に異なる画像であるし、ディスプレイ面１１に表示された各画像の表示態様が相違すれば、各画像は相互に異なる画像である。表示態様は、表示サイズ、表示位置、表示内容、明るさ、輝度、色等で変化し得る。また、画像の表示に際して、表示される画像の各成分に変更等（例えば色の補正、例えば画像の左右反転等）を施すことによっても画像の表示態様は変化し得る。
【００６１】
記録媒体５０は、不揮発性メモリその他のメモリ、ハードディスク等といったデータ記録用の媒体である。記録媒体５０は、制御部４０でメモリに格納されてプロセッサに実行されるための制御プログラムを保持していてもよい。記録媒体５０は、イメージセンサ７０で撮像された画像、受信部３０で受信された画像、或いは、受信部３０で受信されたスクリプト等に基づいて生成された画像等を格納し得る。また、記録媒体５０は、ディスプレイ装置１のユーザが、予め登録されたユーザのいずれかであるかを識別するためのユーザ認証に用いられるユーザ認証用情報を記録している。ユーザ認証用情報は、例えば登録されたユーザの顔画像における特徴情報等を含み得る。このユーザ認証用情報に基づいて、ディスプレイ装置１では撮像したユーザが、登録されているユーザであるか否かを、照合のための画像処理等により検査することにより、ユーザ認証を行う。また、記録媒体５０は、ディスプレイ面１１の回転に応じてディスプレイ面１１に表示させるべき画面を選択するために用いられるべき情報である画像選択用情報を記録している。制御部４０は、この画像選択用情報に基づいて、ディスプレイ面１１に表示されるべき画像の選択を行う。画像選択用情報には、例えば、画像の指定（例えば画像に係るファイル、入力ソース等の情報）、画像の表示態様の指定（例えば色調等といった表示のための画像補正用のパラメータ情報）、画面分割位置の指定（例えばディスプレイ面１１への複数の画面の配置情報等）等が含まれ得る。制御部４０は、例えば、画像選択用情報に画像補正用のパラメータ情報が含まれている場合においては、選択された画像を表示する際にその画像に対応して定められたパラメータ情報に従った補正を行い得る。画像選択用情報は、予め１つだけ記録されていてもよいし、例えば、予め登録されたユーザ毎（つまりユーザ認証用情報に示されるユーザ毎）に、記録されていてもよい。ユーザ認証用情報或いは画像選択用情報は、例えばユーザの入力に応じて更新されることとしてもよい。
【００６２】
記録媒体５０に記録された画像選択用情報の例を図５Ａ〜図５Ｄに示す。図５Ａの例の画像選択用情報は、横画面状態でディスプレイ面１１に表示されるべき画像として受信部３０に受信されたテレビ放送の画像が選択され、縦画面状態では、カメラ（イメージセンサ７０）で撮像中の画像、及び、受信部３０でウェブサイトから受信されたウェブページの画像のうち、いずれかの画像が選択されるべきことを示している。図５Ｂの例の画像選択用情報は、横画面状態でディスプレイ面１１に表示されるべき画像として受信部３０に受信されたテレビ放送の画像が選択され、縦画面状態では、カメラ（イメージセンサ７０）で撮像中の画像、及び、画面を２分割してテレビ放送の画像とカメラで撮像中の画像とを各分割領域に配置した画像のうち、いずれかの画像が選択されるべきことを示している。図５Ｃの例の画像選択用情報は、横画面状態でディスプレイ面１１に表示されるべき画像として受信部３０に受信されたテレビ放送の画像が選択され、縦画面状態では、１つのウェブページ画像、及び、画面を２分割して配置された２つのウェブページ画像である画像、及び、画面を３分割して配置された３つのウェブページ画像である画像のうち、いずれかの画像が順次選択されるべきことを示している。図５Ｄでは、あるユーザＡについての画像選択用情報は、縦画面状態においてカメラ（イメージセンサ７０）で撮像中の画像が選択されるべきことを示し、別のユーザＢについての画像選択用情報は、縦画面状態においてウェブページ画像が選択されるべきことを示している。例えば、ユーザ認証用情報においては、登録されたユーザ毎に、そのユーザについての画像選択用情報へリンクする情報（つまりそのユーザの画像選択用情報を特定するための情報）が含まれてもよい。
【００６３】
回転検知用のセンサ６０は、ディスプレイ面１１の回転角度の変化を制御部４０に通知するセンサである。回転検知用のセンサ６０は、回転角度について、例えば、少なくとも縦画面状態（例えば回転角度が０度の状態）と、横画面状態（例えば回転角度がプラス９０度又はマイナス９０度の状態）と、両者のいずれでもない状態とを識別する。なお、回転検知用のセンサ６０は、回転角度がプラス９０度の状態とマイナス９０度の状態とを識別してもよい。回転検知用のセンサ６０は、ディスプレイ面１１の回転角度が検知できれば、ディスプレイ装置１でどこに配置されてもよく、また、いかなるセンサであってもよく、例えば、回転し得るディスプレイ部１０に配置された、方位センサ、ジャイロセンサ、或いは、重力加速度により鉛直方向に対する角度を検知可能な加速度センサ等である。また、回転検知用のセンサ６０は、例えば、回転機構部２２において基台２１に対して回転しない部分と、回転し得るディスプレイ部１０の一部とに磁石と磁気センサとをそれぞれ配置することで、縦画面状態、横画面状態等を検知できるように構成したものであってもよい。制御部４０は、ディスプレイ面１１の回転角度が変化した態様を、回転検知用のセンサ６０に基づいて知ることができる。例えば、制御部４０は、回転検知用のセンサ６０によって、ディスプレイ面１１が横画面状態から右回りに回転して縦画面状態に至ったときと、横画面状態から左回りに回転して縦画面状態に至ったときとを識別し得る。これにより、制御部４０は、右回りで遷移した縦画面状態のディスプレイ面１１に表示すべき画像と、左回りで遷移した縦画面状態のディスプレイ面１１に表示すべき画像とを互いに異なるように選択し得る。
【００６４】
イメージセンサ７０は、撮像のためのカメラであり、撮像した画像を制御部４０に伝え、例えば、撮像した画像を記録媒体５０へ格納し得る。イメージセンサ７０は、例えば、ディスプレイ面１１の前方を撮像可能となるように配置され、制御部４０の制御下でユーザ認証のために、ディスプレイ面１１を見るユーザを撮像し得る。イメージセンサ７０は、例えばディスプレイ部１０に配置されてもよいし、スタンド部２０に配置されてもよい。
【００６５】
［１−２．ディスプレイ装置の動作］
以下、上述の構成を備えるディスプレイ装置１によるディスプレイ面１１への画像の表示制御方法に係る動作について説明する。
【００６６】
図６Ａ〜図６Ｅは、ディスプレイ装置１における表示制御方法としての表示制御処理についての一例を示すフローチャートである。図６Ａ〜図６Ｅは、それぞれ別の一例を示す。表示制御処理は、ディスプレイ装置１の制御部４０におけるプロセッサに制御プログラムが実行されることにより実現される処理である。以下、ディスプレイ装置１の構成及び動作が相互に若干異なる５つの例を順次用いて、ディスプレイ装置１の動作について説明する。
【００６７】
［１−２−１．動作例１］
以下、図６Ａのフローチャートに即して、ディスプレイ装置１の表示制御処理の一例について説明する。ここでは、記録媒体５０には、図５Ａに例示する画像選択用情報が格納されていることとして説明する。また、便宜上、ディスプレイ面１１の長手方向の回転角度が０度である水平状態が、横画面状態であるとし、左回転により回転角度は増加し、右回転により回転角度が減少するものとして説明するが、回転角度の０度の方向及び回転角度の増加方向は任意に定め得る。また、回転機構部２２の回転機構は、ディスプレイ面１１の回転角度が少なくともマイナス９０度からプラス９０度の範囲でディスプレイ部１０が回動自在となるように構成されているものとする。
【００６８】
まず、制御部４０は、回転検知用のセンサ６０を用いて横画面状態への遷移を検知したか否かを判定する（ステップＳ１１）。ステップＳ１１では、制御部４０は、回転検知用のセンサ６０により測定されたディスプレイ面１１の回転角度が０度であるか否かを判定することになる。
【００６９】
ステップＳ１１で、横画面状態への遷移を検知したと判定した場合には、制御部４０は、画像選択用情報（図５Ａ参照）に基づいて、横画面状態に対応して定められている画像（つまり受信部３０で受信されているテレビ放送の画像）を選択する（ステップＳ１２）。続いて制御部４０は、選択した受信部３０からのテレビ放送の画像がディスプレイ部１０の表示回路に伝送されてディスプレイ面１１に表示されるように、受信部３０及びディスプレイ部１０の表示回路を制御する（ステップＳ１３）。
【００７０】
また、ステップＳ１１で、横画面状態への遷移を検知していないと判定した場合に、制御部４０は、回転検知用のセンサ６０の測定結果に基づいて左回転による縦画面状態への遷移を検知したか否かを判定する（ステップＳ１４）。ステップＳ１４では、制御部４０は、回転検知用のセンサ６０により測定されたディスプレイ面１１の回転角度が、例えば０度から次第に増加してプラス９０度に至った場合には、左回転による縦画面状態への遷移を検知したものと判定することになる。
【００７１】
ステップＳ１４で、左回転による縦画面状態への遷移を検知したと判定した場合には、制御部４０は、画像選択用情報（図５Ａ参照）に基づいて、左回転後の縦画面状態に対応して定められている画像（つまりイメージセンサ７０で撮像されている画像であるカメラ画像）を選択する（ステップＳ１５）。続いて制御部４０は、選択したカメラ画像がディスプレイ装置１の表示回路に伝送されてディスプレイ面１１に表示されるように制御する（ステップＳ１３）。なお、制御部４０は、ディスプレイ面１１に表示されるべき画像としてカメラ画像を選択したときにイメージセンサ７０を起動して撮像を開始させることとしてもよい。
【００７２】
また、ステップＳ１４で、左回転による縦画面状態への遷移を検知していないと判定した場合に、制御部４０は、回転検知用のセンサ６０の測定結果に基づいて右回転による縦画面状態への遷移を検知したか否かを判定する（ステップＳ１６）。ステップＳ１６では、制御部４０は、回転検知用のセンサ６０により測定されたディスプレイ面１１の回転角度が、例えば０度から次第に減少してマイナス９０度に至った場合には、右回転による縦画面状態への遷移を検知したものと判定することになる。
【００７３】
ステップＳ１６で、右回転による縦画面状態への遷移を検知したと判定した場合には、制御部４０は、画像選択用情報（図５Ａ参照）に基づいて、右回転後の縦画面状態に対応して定められている画像（つまり受信部３０で受信したウェブページ画像）を選択する（ステップＳ１７）。なお、制御部４０は、例えば、画像選択用情報に指定されたＵＲＬ等に基づいて受信部３０にネットワーク上の特定のウェブページ情報にアクセスさせることで、例えばＨＴＭＬ（HyperText Markup Language）等で記述されたそのウェブページ情報に基づいて特定されるウェブページの内容としてのウェブページ画像を取得し得る。続いて制御部４０は、選択したウェブページ画像がディスプレイ装置１の表示回路に伝送されてディスプレイ面１１に表示されるように制御する（ステップＳ１３）。
【００７４】
なお、回転機構部２２の回転機構により、ディスプレイ面１１が３６０度以上に亘って回転可能となるようにディスプレイ部１０が回動自在に構成されていてもよい。この場合において、ステップＳ１４では、回転角度が、次第に増加する変化によってプラス９０度又はマイナス９０度（例えばプラス２７０度と等価）に至った場合に、左回転による縦画面状態への遷移を検知したものと判定することになる。また同様に、ステップＳ１６では、回転角度が、次第に減少する変化によってプラス９０度（例えばマイナス２７０度と等価）又はマイナス９０度に至った場合に、右回転による縦画面状態への遷移を検知したものと判定することになる。
【００７５】
図６Ａに示すように上述の表示制御処理における判定処理（ステップＳ１１、ステップＳ１４或いはステップＳ１６）は繰り返し行われるので、ユーザ操作によりディスプレイ面１１が回転すると、回転に応じてディスプレイ面１１の表示内容が切り替わる。上述のように制御部４０は、横画面状態でテレビ放送の画像を表示していたディスプレイ面１１が縦画面状態へと遷移した場合に、回転方向に応じて、テレビ放送の画像とは異なる複数の画像のうちからディスプレイ面１１に表示させる画像を選択し、選択した画像を横画面状態におけるディスプレイ面１１に表示させるように制御する。これにより、ユーザは左回転により縦画面状態にするか右回転により縦画面状態にするかによって別々の画面を表示させることが可能となり、ユーザは容易な操作でディスプレイ面１１の表示内容である画像の切り替えを行うことが可能となる。
【００７６】
［１−２−２．動作例２］
以下、図６Ｂのフローチャートに即して、ディスプレイ装置１の表示制御処理の一例について説明する。ここでは、記録媒体５０には、図５Ｂに例示する画像選択用情報が格納されていることとして説明する。また、便宜上、ディスプレイ面１１の長手方向の回転角度が０度である水平状態が、横画面状態であるとする。また、回転機構部２２の回転機構は、ディスプレイ面１１の回転角度が少なくともマイナス９０度からプラス９０度の範囲でディスプレイ部１０が回動自在となるように構成されている。なお、例えばディスプレイ面１１が３６０度以上に亘って回転可能となるようにディスプレイ部１０が回動自在に構成されていてもよい。
【００７７】
ステップＳ２１〜Ｓ２３は、図６Ａで示したステップＳ１１〜Ｓ１３と同様であり、適宜説明を省略する。
【００７８】
まず、制御部４０は、横画面状態への遷移を検知したか否かを判定する（ステップＳ２１）。
【００７９】
ステップＳ２１で、横画面状態への遷移を検知したと判定した場合には、制御部４０は、画像選択用情報（図５Ｂ参照）に基づいて、横画面状態に対応して定められている、受信部３０で受信されているテレビ放送の画像を選択する（ステップＳ２２）。続いて制御部４０は、選択したテレビ放送の画像がディスプレイ部１０の表示回路に伝送されてディスプレイ面１１に表示されるように、ディスプレイ部１０の表示回路等を制御する（ステップＳ２３）。
【００８０】
また、ステップＳ２１で、横画面状態への遷移を検知していないと判定した場合に、制御部４０は、回転検知用のセンサ６０の測定結果に基づいて回転角度がプラス９０度の縦画面状態への遷移を検知したか否かを判定する（ステップＳ２４）。
【００８１】
ステップＳ２４で、回転角度がプラス９０度の縦画面状態への遷移を検知したと判定した場合には、制御部４０は、画像選択用情報（図５Ｂ参照）に基づいて、プラス９０度の縦画面状態に対応して定められている、イメージセンサ７０で撮像されているカメラ画像を選択する（ステップＳ２５）。続いて制御部４０は、選択したカメラ画像がディスプレイ部１０の表示回路に伝送されてディスプレイ面１１に表示されるように制御する（ステップＳ２３）。
【００８２】
また、ステップＳ２４で、回転角度がプラス９０度の縦画面状態への遷移を検知していないと判定した場合に、制御部４０は、回転検知用のセンサ６０の測定結果に基づいて回転角度がマイナス９０度の縦画面状態への遷移を検知したか否かを判定する（ステップＳ２６）。
【００８３】
ステップＳ２６で、回転角度がマイナス９０度の縦画面状態への遷移を検知したと判定した場合には、制御部４０は、画像選択用情報（図５Ｂ参照）に基づいて、マイナス９０度の縦画面状態に対応して定められている画像（つまりディスプレイ面１１を２分割してテレビ放送の画像とカメラ画像とを各分割領域に配置して構成された画像である２分割画面画像）を選択する（ステップＳ２７）。続いて制御部４０は、選択した２分割画面画像がディスプレイ装置１の表示回路に伝送されてディスプレイ面１１に表示されるように制御する（ステップＳ２３）。
【００８４】
図６Ｂに示すように上述の表示制御処理における判定処理（ステップＳ２１、ステップＳ２４或いはステップＳ２６）は繰り返し行われるので、ユーザ操作によりディスプレイ面１１が回転すると、回転に応じてディスプレイ面１１の表示内容が切り替わる。これにより、ユーザはディスプレイ面１１が特定の角度になるようにディスプレイ部１０を回転させることにより、同じ縦画面状態であっても回転角度によって別々の画面を表示させることが可能となり、ユーザは容易な操作でディスプレイ面１１の表示内容の切り替えを行うことが可能となる。
【００８５】
［１−２−３．動作例３］
以下、図６Ｃのフローチャートに即して、ディスプレイ装置１の表示制御処理の一例について説明する。ここでは、記録媒体５０には、図５Ｃに例示する画像選択用情報が格納されていることとして説明する。また、ディスプレイ面１１の長手方向の回転角度が０度である水平状態が、横画面状態であるとし、回転角度がプラス９０度である状態が縦画面状態であるとして説明する。また、回転機構部２２の回転機構は、ディスプレイ面１１の回転角度が少なくとも０度からプラス９０度の範囲でディスプレイ部１０が回動自在となるように構成されている。なお、例えばディスプレイ面１１が９０度を超える角度範囲で回動自在となる構成でもよく、回転角度がプラス９０度である状態及びマイナス９０度である状態が縦画面状態であるとしてもよい。
【００８６】
ステップＳ３１、Ｓ３２及びＳ３４は、それぞれ図６Ａで示したステップＳ１１、Ｓ１２及びＳ１３と同様であり、適宜説明を省略する。
【００８７】
まず、制御部４０は、横画面状態への遷移を検知したか否かを判定する（ステップＳ３１）。
【００８８】
ステップＳ３１で、横画面状態への遷移を検知したと判定した場合には、制御部４０は、画像選択用情報（図５Ｃ参照）に基づいて、横画面状態に対応して定められている、テレビ放送の画像を選択する（ステップＳ３２）。そして、制御部４０は、表示制御処理で用いる、縦画面状態への遷移回数を示す変数Ｒ（以下「縦画面状態への遷移回数Ｒ」と称する）の値を、０にリセットする（ステップＳ３３）。続いて制御部４０は、選択したテレビ放送の画像が受信部３０からディスプレイ部１０の表示回路に伝送されてディスプレイ面１１に表示されるように、受信部３０及びディスプレイ部１０の表示回路を、制御する（ステップＳ３４）。
【００８９】
また、ステップＳ３１で、横画面状態への遷移を検知していないと判定した場合に、制御部４０は、回転検知用のセンサ６０の測定結果に基づいて、縦画面状態以外から縦画面状態への遷移を検知したか否かを判定する（ステップＳ３５）。ステップＳ３５では、制御部４０は、回転検知用のセンサ６０により測定されたディスプレイ面１１の回転角度が、例えばプラス７０度からプラス９０度に至った場合には、縦画面状態以外（例えば斜めの画面の状態）から縦画面状態への遷移を検知したものと判定することになる。
【００９０】
ステップＳ３５で、縦画面状態以外から縦画面状態への遷移を検知したと判定した場合には、制御部４０は、縦画面状態への遷移回数Ｒを１増加する（ステップＳ３６）。ステップＳ３５で、縦画面状態以外から縦画面状態への遷移を検知していないと判定した場合には、制御部４０は、ディスプレイ面１１の表示内容を切り替えず、ステップＳ３１での判定に戻る。
【００９１】
ステップＳ３６での処理に続いて、制御部４０は、画像選択用情報（図５Ｃ参照）においてローテーション順が定められている複数の画像のうち、縦画面状態への遷移回数Ｒに応じて１つの画像を選択する（ステップＳ３７）。ステップＳ３７では、一例として、ローテーションすべき状態の数が３つ（図５Ｃ参照）であるので、縦画面状態への遷移回数Ｒが３ｎ＋１（ここでｎは０以上の整数）であれば、制御部４０は、図５Ｃの縦画面状態（１）に対応する画像（つまり画面分割なし状態の１つのウェブページ画像で構成される画像）を選択するものとする。また、縦画面状態への遷移回数Ｒが３ｎ＋２（ここでｎは０以上の整数）であれば、制御部４０は、図５Ｃの縦画面状態（２）に対応する画像（つまり画面を１：２の分割比率で２分割した各分割領域にそれぞれ配置される２つのウェブページ画像で構成される画像）を選択するものとする。また、縦画面状態への遷移回数Ｒが３ｎ＋３（ここでｎは０以上の整数）であれば、制御部４０は、図５Ｃの縦画面状態（３）に対応する画像（つまり画面を１：１：１の分割比率で３分割した各分割領域にそれぞれ配置される３つのウェブページ画像で構成される画像）を選択するものとする。
【００９２】
ステップＳ３７での画像の選択の後に、制御部４０は、選択した画像がディスプレイ装置１の表示回路に伝送されてディスプレイ面１１に表示されるように、受信部３０及びディスプレイ部１０の表示回路を制御する（ステップＳ３４）。
【００９３】
図６Ｃに示すように上述の表示制御処理における判定処理（ステップＳ３１或いはステップＳ３５）は繰り返し行われるので、ユーザ操作によりディスプレイ面１１が回転すると、回転に応じてディスプレイ面１１の表示内容が切り替わる。
【００９４】
この表示内容の切り替えについて、以下、図７に示す画面遷移例を用いて説明する。
【００９５】
まず、横画面状態に遷移した場合には、ディスプレイ面１１にテレビ放送の画像１０１（例えばスポーツ中継番組の映像）が表示される。そして、例えば、最初に縦画面状態に遷移した場合には、縦画面状態のディスプレイ面１１の全体に１つのウェブページ画像１０２が表示される。そして、ユーザが縦画面状態（例えば回転角度が９０度の状態）から縦画面状態以外（例えば回転角度が７０度の状態）に一旦変化させて再び縦画面状態に戻すような操作をした場合には、縦画面状態のディスプレイ面１１が２分割されて、互いに異なる２つのウェブページ画像１０２ａ及びウェブページ画像１０３が表示される。更に、ユーザが縦画面状態から縦画面状態以外に一旦変化させて再び縦画面状態に戻すような操作をした場合には、縦画面状態のディスプレイ面１１が３分割されて、互いに異なる３つのウェブページ画像１０２ａ、ウェブページ画像１０３ａ及びウェブページ画像１０４が表示される。更に、ユーザが縦画面状態から縦画面状態以外に一旦変化させて再び縦画面状態に戻すような操作をした場合には、縦画面状態のディスプレイ面１１の全体に１つのウェブページ画像１０２が再び表示されることになる。これにより、ユーザは縦画面状態のディスプレイ面１１を少し回転させて（つまり長方形のディスプレイ面１１の長手方向を縦から少し斜めにして）、また戻すといった容易な操作により、ディスプレイ面１１の表示内容の切り替えを行うことが可能となる。
【００９６】
［１−２−４．動作例４］
以下、図６Ｄのフローチャートに即して、ディスプレイ装置１の表示制御処理の一例について説明する。上述した動作例３において、縦画面状態以外から縦画面状態への遷移回数Ｒに基づいて、ディスプレイ面１１の表示内容が変化したのに対して、本動作例では、ディスプレイ部１０への衝撃の検知の回数である衝撃検知回数Ｓに基づいて、ディスプレイ面１１の表示内容が変化する。ここでは、動作例３と同様に、記録媒体５０には、図５Ｃに例示する画像選択用情報が格納されていることとして説明する。また、ディスプレイ部１０には、衝撃を検知するための衝撃検知センサが備えられているものとし、制御部４０は、衝撃検知センサにより、ディスプレイ部１０をユーザが叩く操作を行ったことを検知するものとする。衝撃検知センサは、例えば振動センサ、加速度センサ等であり得る。また、ディスプレイ面１１の長手方向の回転角度が０度である水平状態が、横画面状態であるとし、回転角度がプラス９０度である状態が縦画面状態であるとして説明する。
【００９７】
ステップＳ４１〜Ｓ４３は、図６Ａで示したステップＳ１１〜Ｓ１３と同様であり、適宜説明を省略する。
【００９８】
まず、制御部４０は、横画面状態への遷移を検知したか否かを判定する（ステップＳ４１）。
【００９９】
ステップＳ４１で、横画面状態への遷移を検知したと判定した場合には、制御部４０は、画像選択用情報（図５Ｃ参照）に基づいて、横画面状態に対応して定められている、テレビ放送の画像を選択する（ステップＳ４２）。そして、制御部４０は、選択したテレビ放送の画像が受信部３０からディスプレイ部１０の表示回路に伝送されてディスプレイ面１１に表示されるように、受信部３０及びディスプレイ部１０の表示回路を、制御する（ステップＳ４３）。
【０１００】
また、ステップＳ４１で、横画面状態への遷移を検知していないと判定した場合に、制御部４０は、回転検知用のセンサ６０の測定結果に基づいて、縦画面状態以外から縦画面状態への遷移を検知したか否かを判定する（ステップＳ４４）。ステップＳ４４では、制御部４０は、回転検知用のセンサ６０により測定されたディスプレイ面１１の回転角度が、例えば０度からプラス９０度になった場合に、縦画面状態以外から縦画面状態への遷移を検知したものと判定することになる。
【０１０１】
ステップＳ４４で、縦画面状態以外から縦画面状態への遷移を検知したと判定した場合には、制御部４０は、表示制御処理で用いる、ディスプレイ部１０への衝撃の検知回数を示す変数Ｓ（以下「衝撃検知回数Ｓ」と称する）の値を、０にリセットする（ステップＳ４５）。
【０１０２】
ステップＳ４５の後に、或いは、ステップＳ４４で縦画面状態以外から縦画面状態への遷移を検知していないと判定した場合（例えば縦画面状態が維持されている状態の場合等）に、制御部４０は、衝撃検知センサの測定結果に基づいて、ディスプレイ面１１が縦画面状態である場合において衝撃を検知したか否かを判定する（ステップＳ４６）。
【０１０３】
ステップＳ４６で、衝撃を検知したと判定した場合には、制御部４０は、衝撃検知回数Ｓを１増加する（ステップＳ４７）。ステップＳ４６で、衝撃を検知していないと判定した場合には、制御部４０は、ディスプレイ面１１の表示内容を切り替えず、ステップＳ４１での判定に戻る。
【０１０４】
ステップＳ４７での処理に続いて、制御部４０は、画像選択用情報（図５Ｃ参照）においてローテーション順が定められている複数の画像のうち、衝撃検知回数Ｓに応じて１つの画像を選択する（ステップＳ４８）。ステップＳ４８では、一例として、ローテーションすべき状態の数が３つ（図５Ｃ参照）であるので、衝撃検知回数Ｓが３ｎ＋１（ここでｎは０以上の整数）であれば、制御部４０は、図５Ｃの縦画面状態（２）に対応する画像（つまり画面を２分割して配置した２つのウェブページ画像の集合である画像）を選択するものとする。また、衝撃検知回数Ｓが３ｎ＋２（ここでｎは０以上の整数）であれば、制御部４０は、図５Ｃの縦画面状態（３）に対応する画像（つまり画面を３分割して配置した３つのウェブページ画像の集合である画像）を選択するものとする。また、衝撃検知回数Ｓが３ｎ（ここでｎは０以上の整数）であれば、制御部４０は、図５Ｃの縦画面状態（１）に対応する画像（つまり画面分割のない１つのウェブページ画像）を選択するものとする。
【０１０５】
ステップＳ４８での画像の選択の後に、制御部４０は、選択した画像がディスプレイ装置１の表示回路に伝送されてディスプレイ面１１に表示されるように、受信部３０及びディスプレイ部１０の表示回路を制御する（ステップＳ４３）。
【０１０６】
図６Ｄに示すように上述の表示制御処理における判定処理（ステップＳ４１、ステップＳ４４或いはステップＳ４６）は繰り返し行われるので、ユーザ操作によりディスプレイ面１１が回転すると、回転に応じてディスプレイ面１１の表示内容が切り替わり、縦画面状態での衝撃の検知回数に応じてもディスプレイ面１１の表示内容が切り替わる。例えば、最初に縦画面状態に遷移した場合には、縦画面状態のディスプレイ面１１の全体に１つのウェブページ画像が表示される。そして、ユーザがディスプレイ部１０を１回叩く操作をした場合には、縦画面状態のディスプレイ面１１が２分割されて、互いに異なる２つのウェブページ画像が表示される。更に、ユーザがディスプレイ部１０を１回叩く操作をした場合には、縦画面状態のディスプレイ面１１が３分割されて、互いに異なる３つのウェブページ画像が表示される。更に、ユーザがディスプレイ部１０を１回叩く操作をした場合には、縦画面状態のディスプレイ面１１の全体に１つのウェブページ画像が再び表示されることになる。これにより、ユーザは縦画面状態のディスプレイ部１０を叩くという容易な操作により、ディスプレイ面１１の表示内容の切り替えを行うことが可能となる。
【０１０７】
［１−２−５．動作例５］
以下、図６Ｅのフローチャートに即して、ディスプレイ装置１の表示制御処理の一例について説明する。ここでは、記録媒体５０には、図５Ｄに例示するようなユーザＡ及びユーザＢを含む複数のユーザそれぞれについての画像選択用情報が格納されていることとして説明する。また、ディスプレイ面１１の長手方向の回転角度が０度である水平状態が、横画面状態であるとし、その回転角度がプラス９０度或いはマイナス９０度の状態が、縦画面状態であるとする。
【０１０８】
制御部４０は、ユーザ認証処理を行う（ステップＳ５１）。ユーザ認証処理としては、制御部４０は、例えば、イメージセンサ７０からディスプレイ面１１の前方を撮像した画像であるカメラ画像を取得して、記録媒体５０（図４参照）に記録されたユーザ認証用情報を参照して、取得したカメラ画像についてユーザ認証のための画像処理を行う。制御部４０は、例えば、ユーザ認証用情報に含まれる、登録されたユーザ毎の顔画像の特徴に係る特徴情報を参照して、取得したカメラ画像から抽出した顔画像の特徴と照合する等により、カメラ画像に写っている登録されたユーザを検出することで、ユーザ認証を行う。
【０１０９】
次に制御部４０は、回転検知用のセンサ６０の測定結果に基づいて、ディスプレイ面１１が横画面状態であるか否かを判定する（ステップＳ５２）。
【０１１０】
ステップＳ５２で、横画面状態であると判定した場合には、制御部４０は、認証したユーザの画像選択用情報（図５Ｄ参照）を参照して、横画面状態に対応して定められている画像を選択する（ステップＳ５３）。例えば、ユーザＡがディスプレイ面１１の前方に所在する状況においては、ステップＳ５１でのユーザ認証処理により、ユーザＡが認証され、ステップＳ５３では、ユーザＡの画像選択用情報９０ａが参照され、テレビ放送の画像が選択される。
【０１１１】
ステップＳ５３に続いて、制御部４０は、選択したテレビ放送の画像がディスプレイ部１０の表示回路に伝送されてディスプレイ面１１に表示されるように、受信部３０及びディスプレイ部１０の表示回路を制御する（ステップＳ５４）。
【０１１２】
また、ステップＳ５２で、横画面状態でないと判定した場合に、制御部４０は、回転検知用のセンサ６０の測定結果に基づいて回転角度がプラス９０度或いはマイナス９０度であるか否かにより、ディスプレイ面１１が縦画面状態であるか否かを判定する（ステップＳ５５）。
【０１１３】
ステップＳ５５で、縦画面状態であると判定した場合には、制御部４０は、認証したユーザの画像選択用情報（図５Ｄ参照）を参照して、縦画面状態に対応して定められている画像を選択する（ステップＳ５６）。例えば、ユーザＡが認証されている状況では、ステップＳ５３では、ユーザＡの画像選択用情報９０ａが参照され、縦画面状態に対応する画像としてイメージセンサ７０で撮像中のカメラ画像が選択される。また、例えば、ユーザＢがディスプレイ面１１の前方に所在する状況においては、ステップＳ５１でのユーザ認証処理により、ユーザＢが認証され、ステップＳ５３では、ユーザＢの画像選択用情報９０ｂが参照され、縦画面状態に対応する画像としてウェブページ画像が選択される。
【０１１４】
ステップＳ５６に続いて、制御部４０は、選択した画像がディスプレイ部１０の表示回路に伝送されてディスプレイ面１１に表示されるように、ディスプレイ部１０の表示回路等を制御する（ステップＳ５４）。
【０１１５】
また、ステップＳ５５で、制御部４０が縦画面状態でないと判定した場合には、ディスプレイ面１１への表示内容を切り替えることなく、ステップＳ５１での判定処理に戻る。
【０１１６】
図６Ｅに示すように上述の表示制御処理におけるユーザ認証処理（ステップＳ５１）及び判定処理（ステップＳ５２或いはステップＳ５５）は繰り返し行われるので、ユーザ毎に適切に画像選択用情報を定めておくことにより、ディスプレイ装置１を利用しているユーザに応じて、横画面状態或いは縦画面状態におけるディスプレイ面１１の表示内容が適切に切り替えられる。この表示内容の切り替えについて、図８に画面遷移例を示す。縦画面状態のディスプレイ面１１の前方にユーザＡが立った状況では、ディスプレイ面には、ユーザＡの画像選択用情報９０ａに基づいて選択された、ユーザＡを撮像したカメラ画像１０５が表示され、ユーザＡは、ディスプレイ装置１を、姿見（スタンドミラー）として活用することができる。なお、ユーザＡの画像選択用情報等においてカメラ画像を左右反転した鏡像となるように補正することを指定可能にし、制御部４０がその画像の補正に係る指定に従ってカメラ画像の表示を制御してもよい。また、縦画面状態のディスプレイ面１１の前方にユーザＢが立った場合には、ディスプレイ面には、ユーザＢの画像選択用情報９０ｂに基づいて選択された、ウェブページ画像１０２が表示され、ユーザＢは、ウェブページを閲覧できる。
【０１１７】
［１−３．効果等］
複数の画像（例えば入力ソースが相互に異なる複数の画像）を選択的に表示し得るディスプレイ装置１においては、ディスプレイ装置１に表示させる画像を指定するためのユーザ操作が容易なものとなっている。
【０１１８】
上述のディスプレイ装置１における表示制御方法は、ユーザ操作に応じたディスプレイ面１１の回転により、ディスプレイ面１１が、第１状態（例えば、横画面状態、或いは、回転角度が７０度等の状態）から、その第１状態とは異なる回転角度の第２状態（例えば、縦画面状態）へと遷移した場合に、複数の画像のうち、第２状態への遷移までにおけるディスプレイ面１１の回転角度が変化した態様に応じてディスプレイ面１１に表示させる画像を選択する選択ステップ（例えばステップＳ１４〜Ｓ１７等）と、選択した画像を第２状態におけるディスプレイ面１１に表示させるようにディスプレイ部１０を制御する制御ステップ（例えばステップＳ１３等）とを含む。選択ステップは例えば制御部４０における画像選択部４２による処理であり、制御ステップは例えば制御部４０における表示制御部４１による処理である。これにより、ユーザは、第２状態におけるディスプレイ面１１の表示内容を、回転操作の各種態様で切り替えることができる。
【０１１９】
なお、ディスプレイ面１１の縦画面状態として、例えば長方形のディスプレイ面１１の特定の一短辺を上部に配置した場合のみを第２状態として取り扱うこととしてもよいし、２つの短辺のいずれを上部に配置した場合でも第２状態として取り扱うこととしてもよい。特定の一短辺を上部に配置した場合のみを第２状態として取り扱うこととした場合において対向する短辺を上部に配置した場合を第３状態として取り扱い、選択ステップで第３状態と第２状態とでは異なる画像を選択し得るようにしてもよい。また、２つの短辺のいずれを上部に配置した場合でも第２状態として取り扱う場合には、第１状態をディスプレイ面１１の長手方向が水平になった状態であるとしたならば、第２状態は、第１状態におけるディスプレイ面１１の回転角度に対して９０度相違した回転角度である状態であることになる。
【０１２０】
また、上述の動作例３によれば、ディスプレイ面１１が第２状態（例えば縦画面状態）へと遷移した場合に制御部４０が選択する画像は、第２状態以外からその第２状態へ１回遷移させる態様で第２状態へと遷移したときと、第２状態以外からその第２状態へ２回繰り返して遷移させる態様で第２状態へと遷移したときとで、相違し得る。この場合に、第１状態（例えば、横画面状態、或いは、回転角度が７０度等の画面が斜めの状態）を、第２状態以外として取り扱い得る。また、制御部４０は、ディスプレイ面１１の回転角度が変化した態様を、第２状態以外から第２状態へ遷移させることを繰り返す回数に応じて区別し、その回数に応じて選択した画像を第２状態におけるディスプレイ面１１に表示させている。この繰り返しの回数は、例えば一定時間内の回数であってもよいし、特に制限時間のない回数（例えばディスプレイ装置１の起動開始からの回数）であってもよい。動作例３によれば、その繰り返しの回数が所定回数（例えば１回）であるとき（つまり、この例では１回であるとき）、及び、その所定回数＋所定値（例えば３）であるとき（つまり、この例では４回であるとき）には、第１画像を選択し、その繰り返しの回数がその所定回数＋１であるとき（つまり、この例では２回であるとき）、及び、その所定回数＋所定値＋１であるとき（つまり、この例では５回であるとき）には、第１画像と異なる第２画像を選択するように、ローテーションして選択される。例えば、この第１画像は、ディスプレイ面１１の全体領域に配置される１つの画像で構成され、第２画像は、ディスプレイ面１１の全体領域を複数に分割した領域毎にそれぞれ配置される複数の画像で構成される。
【０１２１】
このようなディスプレイ装置１におけるディスプレイ面１１の表示内容の切り替えの、ユーザにとっての操作性は、例えば画面が斜めの状態と縦画面状態との遷移の繰り返しの操作が比較的容易な操作であるので、良いと言える。また、ディスプレイ面１１の表示内容（例えばディスプレイ面１１の画面分割数等）がローテーションにより切り替えられるので、各表示内容を確認したいユーザにとっての利便性が高い。
【０１２２】
（実施の形態２）
本実施の形態では、実施の形態１で示したディスプレイ装置１を含むディスプレイシステムについて、図面を用いて説明する。なお、本実施の形態におけるディスプレイ装置１は、ここで特に示さない点については実施の形態１で示したディスプレイ装置１と同様である。
【０１２３】
［２−１．システム構成］
本実施の形態に係るディスプレイシステムは、実施の形態１で示したディスプレイ装置１（図１〜図４参照）と、情報端末２００とを含んで構成される。情報端末２００は、ディスプレイ装置１を操作する端末装置であり、例えば、ディスプレイの表面（つまり画像表示面）にタッチパッドが重畳されて構成されたタッチパネルを備える。図９は、情報端末２００の一例を示し、その画面例（つまり情報端末２００のタッチパネルの表示内容例）を示す。なお、タッチパッドは、例えば平板状のセンサを含み、そのセンサに対して指でタッチされた位置の変化を検知することで、位置の指定のための操作を受け付けるポインティングデバイスである。
【０１２４】
情報端末２００は、ユーザ操作に応じた操作情報をディスプレイ装置１に送信できる機能を有する端末装置であり、ディスプレイ装置１の操作のための専用装置であっても、ディスプレイ装置１の操作のための機能以外の機能も有する装置であってもよい。情報端末２００は、例えば、図９に示すようなスマートフォンでもよいし、タブレット、ノートＰＣ（Personal Computer）、リモコン（リモートコントローラ）等であってもよい。例えば、情報端末２００は、通信インタフェース、入出力インタフェース、メモリ、プロセッサ等を備えるコンピュータである。スマートフォン、タブレット等にアプリをインストールし、スマートフォン、タブレット等のプロセッサにアプリを実行させることで、スマートフォン、タブレット等がディスプレイ装置１の操作のための情報端末２００としての機能を発揮するようにしてもよい。
【０１２５】
図９の画面例では、情報端末２００は、タッチパネル２０１にＧＵＩ（Graphical User Interface）の要素としてのボタン２０２を表示している。ボタン２０２は、押下により、言わばマウスモードにするボタンである。ここでのマウスモードは、タッチパネル２０１へのタッチ操作が、ディスプレイ装置１のディスプレイ面に対して、マウスによる操作と同様な操作性を与えるモードである。
【０１２６】
情報端末２００は、例えば近距離無線通信等を用いて、ディスプレイ装置１との間で情報の授受を行うことができる。情報端末２００は、ボタン２０２がユーザに押下された状態では、タッチパネル２０１へのユーザのタッチ操作に応じて、第１操作情報を、ディスプレイ装置１に送信する機能を有する。第１操作情報は、第２操作情報と区別するための識別情報に加えて、タッチ操作に応じた内容として、例えば、タッチ操作態様及びタッチ位置を示す情報を含む。タッチ操作態様は、例えば、タップ、ロングタップ、上方向スワイプ、下方向スワイプ、右方向スワイプ、左方向スワイプ等を識別するタッチ操作の種別を表す。なお、タッチ操作態様の種別として、フリック、ピンチイン、ピンチアウト等を含めてもよい。
【０１２７】
情報端末２００は、ボタン２０２がユーザに押下されていない状態では、タッチパネル２０１へのユーザのタッチ操作に応じて、第２操作情報を、ディスプレイ装置１に送信する機能を有する。第２操作情報は、第１操作情報と区別するための識別情報に加えて、タッチ操作に応じた内容として、例えば、タッチ操作態様を含む。
【０１２８】
なお、本実施の形態におけるディスプレイ装置１は、実施の形態１で説明したディスプレイ装置１の機能に加えて情報端末２００と連携してユーザの情報端末２００への操作に対して、ディスプレイ面１１の表示内容を変化させ得る機能を有し、この機能のために制御処理を行う。また、本実施の形態におけるディスプレイ装置１では、更に、受信部３０が、情報端末２００から送信される操作情報（つまり第１操作情報又は第２操作情報）を受信して制御部４０に通知し、制御部４０が、操作情報に対応してディスプレイ面１１の表示内容を決定する。
【０１２９】
［２−２．動作］
以下、情報端末２００とディスプレイ装置１との連携動作について説明する。
【０１３０】
［２−２−１．情報端末の動作］
図１０は、上述した情報端末２００の動作例としての操作情報送信処理を示すフローチャートである。この操作情報送信処理は、例えば、情報端末２００において、ディスプレイ装置１を操作するためのアプリが起動された場合に、行われる。
【０１３１】
ディスプレイ装置１と連携する上述のアプリの仕様は次のようなものである。ユーザが、ボタン２０２を押下したタッチ操作を行うことによって、例えばポインティングデバイスであるマウス操作でのマウスの移動、クリック等と同様に、ディスプレイ装置１に対してカーソルの移動、カーソルの位置の内容の選択等が可能となる。また、ユーザがボタン２０２を押下しないでタッチ操作としてスワイプを行うことによって、ディスプレイ装置１に対してディスプレイ面１１の表示内容をスクロールさせることが可能となる。
【０１３２】
以下、図１０に即して情報端末２００の動作を説明する。
【０１３３】
情報端末２００は、ボタン２０２を含む操作用画面（つまり操作用のＧＵＩ画像）をタッチパネルに表示する（ステップＳ６１）。
【０１３４】
情報端末２００は、ボタン２０２の押下中か否かを判定し（ステップＳ６２）、押下中にボタン２０２以外の部分に対するタッチ操作がなされるとそのタッチ操作に応じて、タッチ操作態様及びタッチ位置を示す第１操作情報をディスプレイ装置１に送信し（ステップＳ６３）、再びステップＳ６２での判定に戻る。
【０１３５】
また、情報端末２００は、ボタン２０２の押下中でないときに、ボタン２０２以外の部分に対するタッチ操作がなされるとそのタッチ操作に応じて、タッチ操作態様を示す第２操作情報をディスプレイ装置１に送信して（ステップＳ６４）、ステップＳ６２での判定に戻る。
【０１３６】
［２−２−２．ディスプレイ装置の動作］
図１１は、情報端末２００と連携するディスプレイ装置１の制御処理の一例を示すフローチャートである。以下、同図に即して、ディスプレイ装置１の制御処理について説明する。
【０１３７】
ディスプレイ装置１の制御部４０は、表示制御処理をする（ステップＳ７１）。この表示制御処理は、実施の形態１で示した処理（例えば、図６Ａ〜図６Ｅのいずれかに示した内容の処理）であるが表示制御処理内のみでループする（つまり処理手順が繰り返される）のではなく、表示制御処理とこれに後続するステップＳ７２等の処理を含めて、繰り返し行われる。
【０１３８】
ステップＳ７２では、ディスプレイ装置１の制御部４０は、受信部３０が情報端末２００から操作情報を受信したか否かを判定し、受信していない場合には、ステップＳ７３〜Ｓ７５での処理をスキップし、表示制御処理（ステップＳ７１）に戻る。
【０１３９】
ステップＳ７２で、制御部４０は、受信部３０が情報端末２００から操作情報を受信したと判定した場合には、操作情報が第１操作情報であるか否かを判定する（ステップＳ７３）。
【０１４０】
ステップＳ７３で、受信された操作情報が第１操作情報であると判定した場合には、制御部４０は、第１操作情報が示すタッチ位置に基づいて、ディスプレイ面１１に表示すべきカーソルの位置を定めて、ディスプレイ面１１に表示中の画像に重畳させてカーソルを表示するように、ディスプレイ部１０の表示回路等を制御する（ステップＳ７４）。制御部４０は、例えば、情報端末２００のタッチパネルにおいて検出される座標の座標系とディスプレイ面１１の画素の座標系と間での座標変換処理等により、タッチ位置からカーソルの位置を定める。図１２に、カーソルが表示されたディスプレイ面１１の一例を示す。この例では縦画面状態のディスプレイ面１１が上下に２分割されて互いに別のウェブサイトに係るウェブページ画像１０２ａ及びウェブページ画像１０３が表示されている。ユーザは、情報端末２００のタッチパネルにおいて、ボタン２０２を押下してタッチ操作をすることで、ウェブページ画像１０３に重畳して表示されているカーソル１１１を移動させて、例えばウェブページ画像１０３中の所望の部分を選択することが可能となる。
【０１４１】
ステップＳ７４に続いて、制御部４０は、第１操作情報が示すタッチ操作態様に応じて、カーソルの位置に対応した制御を実行して（ステップＳ７５）、表示制御処理（ステップＳ７１）に戻る。カーソルの位置に対応した制御は、例えば、カーソルの位置の表示内容の選択であり、より具体的には、ウェブページ画像の表示中におけるカーソルの位置にハイパーリンクのための情報が表示されていればそのリンク先のウェブページ画像の表示等である。なお、カーソルの位置に対応した制御は、ポインティングデバイスがマウスである場合のクリック、ダブルクリック等の操作に対応した制御と同様である。一例としては、制御部４０は、タッチ操作態様がタップの場合に、クリックと同様の制御を行い、タッチ操作態様がロングタップの場合にダブルクリックと同様の制御を行う。
【０１４２】
ステップＳ７３で、受信された操作情報が第１操作情報でない（つまり第２操作情報である）と判定した場合には、制御部４０は、第２操作情報が示すタッチ操作態様に応じて、ディスプレイ面１１に表示中の画像をスクロールして表示するように、ディスプレイ部１０の表示回路等を制御し（ステップＳ７６）、表示制御処理（ステップＳ７１）に戻る。制御部４０は、例えば、タッチ操作態様が上方向スワイプであれば、ディスプレイ面１１に表示中の画像を上方向に所定量スクロールして表示するよう制御し、タッチ操作態様が下方向スワイプであれば、ディスプレイ面１１に表示中の画像を下方向に所定量スクロールして表示するよう制御する。所定量は、例えばディスプレイ面１１のサイズの半分等の長さであり、その他の長さであってもよい。
【０１４３】
なお、上述の例は、一例に過ぎず、各種のタッチ操作態様に対してディスプレイ面１１に表示中の画像を変化させる態様（例えば画像の回転、拡大縮小等）を、どのように定めてもよい。
【０１４４】
このようにディスプレイ装置１の制御部４０は、受信部３０が操作情報を受信した場合に、その操作情報が第１操作情報であるときと第２操作情報であるときとでは、ディスプレイ面１１に表示させている画像に対して互いに異なる変化（例えばカーソルの移動、スクロール等といった変化）を施すようにディスプレイ部１０を制御することになる。
【０１４５】
［２−３．効果］
このようなシステムによれば、ユーザは、ディスプレイ面１１を回転させる操作によりディスプレイ面１１の表示内容を切り替えることができ、更に、情報端末２００を操作することで、ディスプレイ面１１の表示内容を容易に変化させることができるようになる。
【０１４６】
（他の実施の形態等）
以上のように、本出願において開示する技術の例示として、実施の形態１、２を説明した。しかしながら、本開示における技術は、これに限定されず、適宜、変更、置き換え、付加、省略等を行った実施の形態にも適用可能である。
【０１４７】
上述の実施の形態では、ディスプレイ面１１の形状が長方形であることとしたが、その形状は必ずしも長方形に限られず、正方形、楕円形、星形等、いかなる形状であってもよい。また、ディスプレイ部１０においてディスプレイ面１１を囲むフレーム１２は、なくてもよい。
【０１４８】
また、上述の実施の形態では、一例として画面サイズが４３インチ等のディスプレイ装置１を示したが、画面サイズは４３インチより大きくても小さくてもよい。
【０１４９】
また、上述の実施の形態では、スタンド部２０が、ディスプレイ部１０を回転できるように軸支する回転機構部２２を有する例を示した。画面サイズが比較的小さい小型のディスプレイ装置１における別の一例としては、スタンド部２０は、回転機構部２２を有さず、ディスプレイ面１１がその面の一法線に対して相互に回転角度の異なる第１状態（例えば横画面状態）と第２状態（例えば縦画面状態）とのいずれの状態でも、それぞれの状態を維持してディスプレイ部１０を支えることができる置き台であることとしてもよい。
【０１５０】
また、上述の実施の形態では、制御部４０は、第１状態（例えば横画面状態、或いは、回転角度が７０度等の斜めの画面の状態等）のディスプレイ面１１が第２状態（例えば縦画面状態）へと遷移した場合に、複数の画像のうち、第２状態への遷移までにディスプレイ面１１の回転角度が変化した態様に応じてディスプレイ面１１に表示させる画像を選択し、選択した画像を第２状態のディスプレイ面１１に表示させるための制御を行うこととした。この制御部４０による画像の選択としては、ディスプレイ面１１の全体領域に配置される１つの画像で構成される第１種画像と、ディスプレイ面１１の全体領域を複数に分割した領域毎にそれぞれ配置される複数の画像で構成される第２種画像とのうちの選択であってもよい。即ち、制御部４０は、第２状態へ遷移するまでの回転角度の変化の態様に応じて、第２状態のディスプレイ面１１の画面分割数を選択することとしてもよい。この場合には、回転操作に応じて、選択された画面分割数に合わせた数の画像をそれぞれ分割領域に配置して構成される画像がディスプレイ面１１に表示されることになる。
【０１５１】
また、上述の実施の形態（動作例５）で示したユーザ認証は、ディスプレイ面１１が回転により第１状態（例えば横画面状態）或いは第２状態（例えば縦画面状態）の一方になっている場合においてのみ行われることとしてもよい。ディスプレイ面１１が縦画面状態の場合にユーザ認証を行うとした場合には、制御部４０は、少なくともユーザ認証に成功したユーザに対応する画像選択用情報に基づいて、縦画面状態におけるディスプレイ面１１に表示させる画像の選択を行ってその選択した画像の表示のための制御を行うことになる。なお、ユーザ認証は、登録された各ユーザの情報を含むユーザ認証用情報に基づいて行われるものであるが、認証対象のユーザが、登録されたいずれかのユーザであると認証できた場合に認証に成功したと扱い、その他の場合に認証に失敗したと扱われる。認証に失敗した場合には、ディスプレイ面１１にユーザと対応付けられていない既定の画像選択用情報に基づいて画像を表示してもよいし、その他の任意の画像を表示してもよいし、画像を表示しなくてもよい。
【０１５２】
また、上述の実施の形態で示した記録媒体５０に記録された画像選択用情報は、例えば情報端末２００を介してユーザが設定可能であることとしてもよく、この場合には、ユーザの入力を受け付ける端末装置（例えば情報端末２００）で入力に応じて設定内容が特定されて送信され、ディスプレイ装置１の受信部３０がその設定内容を受信して、設定内容に従って記録媒体５０の画像選択用情報を更新することとしてもよい。
【０１５３】
また、上述の実施の形態では、画像選択用情報（図５Ａ〜図５Ｄ）が、ディスプレイ面１１が回転角度に係る第１状態（この例では横画面状態）である場合に表示されるべき画像と、第２状態（この例では縦画面状態）である場合に表示されるべき画像とを含む例を示した。しかし、第１状態（例えば横画面状態）でディスプレイ面１１に特定の画像を表示することが予め定められている場合等においては、画像選択用情報には、例えば第２状態（例えば縦画面状態）のディスプレイ面１１に表示されるべき画像の選択に有用な情報（選択肢としての複数の画像の情報等）のみを含むこととしてもよい。
【０１５４】
また、上述した画像選択用情報（例えば図５Ｃ等参照）における縦画面状態である場合に表示されるべき画像として、複数の分割画面からなる複数分割画面画像を定め、その複数の分割領域それぞれに表示されるべき画像のうちの全部又は一部の画像（例えば１番上の分割領域に表示される画像等）として、テレビ放送の画像を定めてもよく、複数の分割領域に表示されるべき各画像として、相互に異なるチャネルで受信されたテレビ放送の画像を定めることとしてもよい。画像選択用情報の設定内容次第で、例えば、特定の回転操作に応じてディスプレイ面１１が縦画面状態になった場合に、画面分割によりテレビ放送の画像とウェブページ画像とを混在させてディスプレイ面１１に表示させるようにすることができる。また、特定の回転操作に応じてディスプレイ面１１が横画面状態になった場合において表示されるべき画像を、画面を複数に分割した複数の分割領域に係る複数分割画面画像として、画像選択用情報に定めてもよい。なお、画像選択用情報の設定内容として画面分割した複数の分割領域を有する複数分割画面画像を定める場合に、各分割領域の表示内容となる画像それぞれの入力ソースは、相互に異なるものであっても、いかなるものであってもよい。
【０１５５】
また、上述の実施の形態（動作例４）では、衝撃検知センサにより、ディスプレイ部１０に対してユーザが叩く操作をしたことを検知して、その操作に応じてディスプレイ面１１の表示内容を切り替える例を示したが、このような操作は、叩く操作に限られず、ディスプレイ面１１或いはフレーム１２の表面を撫でる操作であってもよい。即ち、制御部４０は、ディスプレイ面が第２状態（例えば縦画面状態）である場合において、ディスプレイ部１０に接触する所定操作がなされたときには、ディスプレイ面１１に表示させている画像とは異なる画像をディスプレイ面１１に表示させるように制御してもよい。この場合に、ディスプレイ装置１は、その所定操作を検知するセンサ等を有する。ディスプレイ装置１は、ユーザがフレーム１２を上方向に撫でるか下方向に撫でるかに応じて互いに異なる画像を選択して、選択した画像をディスプレイ面１１に表示することとしてもよい。なお、ディスプレイ装置１がスピーカを備える場合において、ユーザがフレーム１２を上方向に撫でると、スピーカから出力する音声（例えばディスプレイ面１１にテレビ放送の画像を表示している場合において、そのテレビ放送の番組を画像とともに構成している音声等）の音量を増加させ、下方向に撫でるとその音量を減少させることとしてもよい。また、ディスプレイ装置１は音声入力装置を備えてもよく、制御部４０は、ディスプレイ面が縦画面状態である場合において、音声で入力された内容に応じて縦画面状態におけるディスプレイ面への表示内容となる画像を選択してもよい。
【０１５６】
また、上述の実施の形態では、情報端末２００が、タッチパネル２０１にボタン２０２を表示している例を示した。情報端末２００は、ボタン２０２の表示位置をユーザが任意に変更できるように構成されていてもよい。また、情報端末２００において、上述したボタン２０２を、情報端末２００が物理的に備えるボタンで代用することとしてもよい。また、上述の実施の形態では、情報端末２００は、タッチパッドがタッチパネル２０１の一部として構成されている例を示した。しかし、情報端末２００は、ディスプレイ面を有さず単にタッチパッドを備えるものであってもよいし、ディスプレイ面とは別個にタッチパッドを備えるものであってもよい。また、ユーザの文字入力操作に応じて情報端末２００が、入力された文字を示す情報をディスプレイ装置１に送信し、ディスプレイ装置１はその文字を示す情報に従って、その文字を検索用のキーワードとして用いた検索エンジンによる検索処理の結果を、ディスプレイ面１１に表示することとしてもよい。
【０１５７】
また、上述の実施の形態では、ユーザの入力操作に応じてモータ駆動等によってディスプレイ面１１を回転させてもよいことを示したが、例えば重力加速度を検出可能な加速度センサ等を有する情報端末２００が、ユーザによって回転させられるとその回転角度等を示す情報をディスプレイ装置１に送信し、ディスプレイ装置１ではその回転角度等を示す情報に従ってモータ駆動等によって情報端末２００と同様にディスプレイ面１１を回転させることとしてもよい。
【０１５８】
また、上述の実施の形態では、ディスプレイ装置１が、テレビ放送を受信してテレビ放送の画像を表示する機能、ウェブサイトにアクセスしてウェブページ画像を表示する機能（つまりウェブブラウザ機能）、カメラ画像を表示する機能等を有し、これらの複数の入力ソースからの画像を表示する例を示した。しかし、ディスプレイ装置１は、必ずしもテレビ放送を受信できなくてもよいし、必ずしもウェブブラウザ機能を有さなくてもよいし、必ずしもカメラを備えなくてもよい。即ち、ディスプレイ装置１が表示可能な画像の入力ソースの数はいくつであってもよい。
【０１５９】
また、上述の実施の形態では、制御部４０が選択するディスプレイ面１１に表示すべき画像は、ディスプレイ面１１を複数に分割した分割領域毎に配置される画像で構成される全体的な１つの画像である例を示した。この他に、制御部４０は、選択ステップ（例えばステップＳ１５、Ｓ１７、Ｓ２５、Ｓ２７、Ｓ３７等）で選択する画像として、２つ以上の画像を選択してもよい。この場合には、制御部４０は、選択した２つ以上の画像を任意の配置でディスプレイ面１１に表示されるように表示の制御を行ってもよいし、選択した２つ以上の画像をディスプレイ面１１に時分割により順次表示されるように表示の制御を行ってもよい。
【０１６０】
また、上述した制御部４０における表示制御部４１及び画像選択部４２の機能分担は、任意に変更することができ、各部を統合してもよい。
【０１６１】
また、上述した実施の形態では、ディスプレイ装置１がユーザの顔画像による画像処理によってユーザ認証を行う例を示したが、ユーザの入力したパスワード、声紋、その他の生体情報等を用いた認証技術を利用してユーザ認証を行ってもよい。また、ディスプレイ装置１は、ユーザ認証を行わなくてもよい。
【０１６２】
また、上述したディスプレイ装置１における各種処理（例えば図６Ａ〜図６Ｅ或いは図１１に示す手順等）、或いは情報端末２００における処理（例えば図１０に示す手順等）の実行順序は、必ずしも、上述した通りの順序に制限されるものではなく、例えば、実行順序を入れ替えたり、複数の手順を並列に行ったり、その手順の一部を省略したりすることができる。また、上述のディスプレイ装置１における各種処理（例えば図６Ａ〜図６Ｅ或いは図１１に示す手順等）の全部又は一部は、電子回路等のハードウェアにより実現されても、ソフトウェアを用いて実現されてもよい。なお、ソフトウェアによる処理は、ディスプレイ装置１に含まれるプロセッサがメモリに記憶された制御プログラムを実行することにより実現されるものである。また、その制御プログラムを、コンピュータが読み取り可能なＲＯＭ、光ディスク、ハードディスク等の非一時的な記録媒体に記録して頒布や流通させてもよい。例えば、頒布された制御プログラムをディスプレイ装置１にインストールして、そのディスプレイ装置１のプロセッサに実行させることで、そのディスプレイ装置１に各種処理（図６Ａ〜図６Ｅ或いは図１１に示す手順等）の全部又は一部を行わせることが可能となる。制御プログラムは、ディスプレイ装置１の記録媒体５０に予め格納されていてもよいし、インターネット等を含む広域通信網を介して記録媒体５０へ供給されてもよい。
【０１６３】
また、上述したディスプレイ装置１における各機能構成要素としての機能ブロックの全部又は一部は、ＩＣ（Integrated Circuit）、ＬＳＩ（Large Scale Integration）等の半導体装置により個別に１チップ化されてもよいし、一部又は全部を含むように１チップ化されてもよい。１チップ化されたＬＳＩは、プロセッサ、ＲＯＭ、ＲＡＭ等を含みコンピュータとして機能するシステムＬＳＩであってもよい。また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）、或いは、ＬＳＩ内部の回路セルの接続や設定を再構成可能なリコンフィギュラブル・プロセッサを利用してもよい。更には、半導体技術の進歩又は派生する別技術によりＬＳＩに置き換わる集積回路化の技術が登場すれば、その技術を用いて機能ブロックの集積化を行ってもよい。バイオ技術の適用等が可能性としてあり得る。
【０１６４】
また、上述した実施の形態で示した構成要素及び機能を任意に組み合わせることで実現される形態も本開示の範囲に含まれる。
【産業上の利用可能性】
【０１６５】
本開示は、画像を表示するディスプレイ装置に適用可能である。
【符号の説明】
【０１６６】
１  ディスプレイ装置
１０  ディスプレイ部
１１  ディスプレイ面
１２  フレーム
２０  スタンド部
２１  基台
２２  回転機構部
３０  受信部
４０  制御部
４１  表示制御部
４２  画像選択部
５０  記録媒体
６０  回転検知用のセンサ
７０  イメージセンサ（カメラ）
９０ａ、９０ｂ  画像選択用情報
１０１  テレビ放送の画像
１０２、１０２ａ、１０３、１０３ａ、１０４  ウェブページ画像
１０５  カメラ画像
１１１  カーソル
２００  情報端末
２０１  タッチパネル
２０２  ボタン
【図１】
2019153049.tif 000003
【図２】
2019153049.tif 000004
【図３】
2019153049.tif 000005
【図４】
2019153049.tif 000006
【図５Ａ】
2019153049.tif 000007
【図５Ｂ】
2019153049.tif 000008
【図５Ｃ】
2019153049.tif 000009
【図５Ｄ】
2019153049.tif 000010
【図６Ａ】
2019153049.tif 000011
【図６Ｂ】
2019153049.tif 000012
【図６Ｃ】
2019153049.tif 000013
【図６Ｄ】
2019153049.tif 000014
【図６Ｅ】
2019153049.tif 000015
【図７】
2019153049.tif 000016
【図８】
2019153049.tif 000017
【図９】
2019153049.tif 000018
【図１０】
2019153049.tif 000019
【図１１】
2019153049.tif 000020
【図１２】
2019153049.tif 000021